(57)【要約】      （修正有）【課題】吸引器に接続したカテーテルを唾液吸収材に挿入し直接口の中にカテーテルが当たらないように保護し、また、口の中で一定箇所に固定できるため、安定して唾液吸収材で唾液を吸引し、吸引器に接続したカテーテルで持続吸引できる唾液吸収具を提供する。【解決手段】口の中の位置に固定するための口おおい部２と、口おおい部２の一角に耳かけ式取付け部３を備え、口おおい部２に口の中の唾液を吸収するための口の中に入れる唾液吸収材１と、口おおい部２に設けられた口おおい部開口部と、唾液吸収材１に設けられた唾液吸収材開口部と、唾液吸収材開口部から先端に向かった連続した凹み部１４を設け、口おおい部２の略中央に口おおい部開口部を設け、口おおい部開口部と唾液吸収材開口部を合わせた事を特徴とするものである。【選択図】図２
2019132816.tif 000002
【特許請求の範囲】
【請求項１】
口の中の位置に固定するための口おおい部と、
前記口おおい部の一角に耳かけ式取付け部を備え、
前記口おおい部に口の中の唾液を吸収するための口の中に入れる唾液吸収材と、
前記口おおい部に設けられた口おおい部開口部と、
前記唾液吸収材に設けられた唾液吸収材開口部と、
前記唾液吸収材開口部から先端に向かった連続した凹み部を設け、
前記口おおい部の略中央に前記口おおい部開口部を設け、
前記口おおい部開口部と前記唾液吸収材開口部を合わせた事を特徴とする唾液吸収具。
【請求項２】
前記口おおい部の略中央に開口部を設け、
前記唾液吸収具を左右自由自在に稼働できることを特徴とする請求項１に記載の唾液吸収具。
【請求項３】
前記口おおい部は、おしゃぶり器であることを特徴とする請求項１又は２に記載の唾液吸収具。
【請求項４】
前記口おおい部の開口部と前記唾液吸収材開口部に唾液を吸収する吸引器に接続したカテーテルを挿入できる凹み部を設け、
前記凹み部は前記吸引器に接続した前記カテーテルを着脱自在にできる事を特徴とする請求項１ないし３のいずれの１項に記載の唾液吸収具。
【発明の詳細な説明】
【技術分野】
【０００１】本発明は唾液を吸引器で持続吸引する為の唾液吸収具に関するものである。
【背景技術】
【０００２】従来の持続唾液吸引器では、吸引器に接続された吸引用カテーテル１２を口にくわえさせ唾液を持続吸引していた。（例えば図７を参照。）
【発明の概要】
【発明が解決しようとする課題】
【０００３】しかしながら、吸引用カテーテルを口にくわえさせていた為、舌で吸引用カテーテルを動かし、口の中で固定できず口から出てしまったり、口の奥に入ったり、口の中の皮膚や舌を吸引してしまい、唾液を持続吸引することができず、持続吸引が難しいという問題点がある。【０００４】本発明は、このような従来の問題を解決するもので、吸引器に接続したカテーテルを唾液吸収材に挿入し直接口の中にカテーテルが当たらないように保護し、また、口の中で一定箇所に固定できるため、安定して唾液吸収材で唾液を吸引し、吸引器に接続したカテーテルで持続吸引できる唾液吸収具を提供することを目的とするものである。
【課題を解決するための手段】
【０００５】上記課題を解決するため、本発明に係る唾液吸収具は
口の中の位置に固定するための口おおい部と、
前記口おおい部の一角に耳かけ式取付け部を備え、
前記口おおい部に口の中の唾液を吸収するための口の中に入れる唾液吸収材と、
前記口おおい部に設けられた口おおい部開口部と、
前記唾液吸収材に設けられた唾液吸収材開口部と、
前記唾液吸収材開口部から先端に向かった連続した凹み部を設け、
前記口おおい部の略中央に前記口おおい部開口部を設け、
前記口おおい部開口部と前記唾液吸収材開口部を合わせた事を特徴とするものである。
【発明の効果】
【０００６】本発明によれば、唾液吸収材を口の中で一定箇所に固定でき、唾液吸収材で口の中の唾液又は口の中の液体を吸収し、口の中の皮膚や舌を吸引することなく、吸引することができる。
【発明を実施するための最良の形態】
【実施形態１】
【０００７】図１に示した唾液吸収具の構造を説明する。唾液吸収材１の略中央に開口部を設け、不織布１３の略中央に開口部を設け、唾液吸収材１の開口部と不織布１３の開口部を合わせて接続し、唾液吸収材１の先端に向かった連続した凹み部１４を設け、凹み部１４に唾液吸引用カテーテルを挿入する事ができる構造となっている。
【０００８】本発明の唾液吸収具は、図２に示されるように、口に直接あてる為の口おおい布２に、口おおい布２の左端の一角、右端の一角に耳かけ式取付け部３を備え、口おおい布２の略中央に唾液吸収接続穴を設け、口おおい布の唾液吸収接続穴に唾液吸収材１を挿入できる構造となっている。
【０００９】図３（Ａ）（Ｂ）に示した唾液吸収材１は口おおい布２の唾液吸収接続穴１０に着脱できる構造となっている。唾液吸収材１の直径は唾液吸収接続穴１０の穴径より大きめにできているが、唾液吸収材１は弾力性を有しているので、唾液吸収接続穴１０に挿入し固定ができる。挿入された唾液吸収材１は舌の力で押されても口おおい布２から外れることのない力で固定されている。また、交換するときは、口おおい布２から唾液吸収材１を引っ張ることによって取り外すことができる構造となっている。
【００１０】次に使用について説明をする。図４のように唾液吸収材１の凹み部１４に唾液吸引用カテーテル１２を挿入し、唾液吸引用カテーテル１２を電動痰・唾液吸引器８に接続し、唾液吸収材１を舌６の上にくわえさせ、唾液吸収材１を口の中４の一定箇所に固定する為、図２に示した耳かけ式取付け部３を使用者の耳に引掛け、口の中４にある唾液５を唾液吸収材１で吸い上げ電動痰・唾液吸引器８の電源を入れることのより唾液５又は口の中４の液体を持続的に吸い上げることができる。
【００１１】図８の様に唾液吸収材１は唾液吸引用カテーテル１２を着脱できる構造になっている。唾液吸引用カテーテル１２には例えば３か所穴があるもの又は複数個穴がある。
【００１２】次に唾液吸収材１と唾液吸引用カテーテル１２の挿入について説明する。唾液吸収材１は弾力性があるもので凹み部１４の挿入口は図８（Ａ）（Ｂ）１５は唾液吸引用カテーテル１２より少し小さい口径で押し込む構造になっている。図８（Ｂ）、（Ｄ）の唾液吸収材１と唾液吸引用カテーテル１２を左右に引っ張れば外れる構造になっている。または凹み部１４の挿入口に図８（Ｃ）（Ｄ）１５のように抜けないようストッパーを付け、抜けにくい構造もある。
【実施形態２】
【００１３】実施形態１と異なる部分を説明する。
図５はおしゃぶり器９の略中央に唾液吸収材接続穴１０を設け、おしゃぶり器９の端部に耳かけ式取付け部通し穴１１を設け、おしゃぶり器９の端部に耳かけ式取付け部通し穴１１に耳かけ式取付け部３を通し、使用者に耳かけ式取付け部３を耳に掛け、唾液吸収材１が口の中４の位置に固定するためのおしゃぶり器９で、唾液吸収材１が口から外れないようし、また不織布１３がストッパーになるため唾液吸収材１が口の奥に入り込まない構造となっている。
【００１４】図６（Ａ）（Ｂ）に示した唾液吸収材１は唾液吸収接続穴１０に着脱できる構造となっている。唾液吸収材１の直径は唾液吸収接続穴１０の穴径より大きめにできているが、唾液吸収材１は弾力性を有しているので、唾液吸収接続穴１０に挿入し固定ができる。挿入された唾液吸収材１は舌の力で押されても唾液吸収材１がおしゃぶり器９から外れることのない力で固定されている。また、交換するときは、図６（Ｂ）のようにおしゃぶり器９から唾液吸収材１を引っ張ることによって取り外すことができる構造となっている。
【実施形態３】
【００１５】図９（Ａ）・（Ｂ）・（Ｃ）は口おおい布２に伸縮性があり口おおい布２の略中央に左右の切り込みをいれ、図９（Ａ）は、唾液吸収具１を右側に、図９（Ｂ）は唾液吸収具１を略中央に、図９（Ｃ）は、唾液吸収具１を左側にと唾液吸収材１を左右自由自在に稼働することができる構造となっている。
【００１６】図１０（Ａ）・（Ｂ）・（Ｃ）のおしゃぶり器に、図１０（Ａ）は、唾液吸収具１を右側に、図１０（Ｂ）は、唾液吸収具１を略中央に、図１０（Ｃ）は、唾液吸収具１を左側に、唾液吸収接続穴は左右自由自在に稼働することができる構造となっている。
【００１７】上記、実施例では布を例に説明したが、他の部材でも代用することができる。例えば、ゴムもしくはプラスチックでも可能である。また、請求項に記載された内容であれば全て対応できる。
【図面の簡単な説明】
【図１】本発明唾液吸収具の正面図
【図２】本発明唾液吸収具口おおい布の平面図
【図３】図１本発明唾唾液吸収具口おおい布に唾液液吸収材の取付図
【図４】本発明の実施図
【図５】本発明唾液吸収具おしゃぶり器の平面図
【図６】図５本発明唾液吸収具おしゃぶり器に唾液吸収材の取付図
【図７】従来の実施図
【図８】カテーテル挿入口の唾液吸収具の平面図
【図９】本発明唾液吸収具の左右自由自在口おおい布図
【図１０】本発明唾液吸収具の左右自由自在おしゃぶり器図
【符号の説明】    １    唾液吸収材
２    口おい布
３    耳かけ式取付け部
４    口の中
５    唾液
６    舌
７    唾液の吸収方向
８    電動痰・唾液吸引器
９    おしゃぶり器
１０    唾液吸収材接続穴
１１    耳かけ式取付け部通し穴
１２    唾液吸引用カテーテル
１３    不織布
１４    凹み部
１５    ストッパー
１６    切り込み
【図１】
2019132816.tif 000003
【図２】
2019132816.tif 000004
【図３】
2019132816.tif 000005
【図４】
2019132816.tif 000006
【図５】
2019132816.tif 000007
【図６】
2019132816.tif 000008
【図７】
2019132816.tif 000009
【図８】
2019132816.tif 000010
【図９】
2019132816.tif 000011
【図１０】
2019132816.tif 000012
【手続補正書】
【提出日】平成30年7月24日(2018.7.24)
【手続補正１】
【補正対象書類名】特許請求の範囲
【補正対象項目名】全文
【補正方法】変更
【補正の内容】
【特許請求の範囲】
【請求項１】
口の中の位置に固定するための口おおい部と、
前記口おおい部の一角に耳かけ式取付け部を備え、
前記口おおい部に口の中の唾液を吸収するための口の中に入れる唾液吸収材と、
前記口おおい部に設けられた口おおい部開口部と、
前記唾液吸収材に設けられた唾液吸収材開口部と、
前記唾液吸収材開口部から先端に向かった連続した先端が貫通しない凹み部であってカテーテルが着脱自在な凹み部を設け、
前記口おおい部の略中央に前記口おおい部開口部を設け、
前記口おおい部開口部と前記唾液吸収材開口部を合わせた事を特徴とする唾液吸収具。
【請求項２】
前記口おおい部の略中央に開口部を設け、
前記唾液吸収具を左右自由自在に稼働できることを特徴とする請求項１に記載の唾液吸収具。
【請求項３】
前記口おおい部は、おしゃぶり器であることを特徴とする請求項１又は２に記載の唾液吸収具。
【請求項４】
前記口おおい部の開口部と前記唾液吸収材開口部に唾液を吸収する吸引器に接続した屈曲可能なカテーテルを挿入できる凹み部を設け、
前記凹み部は前記吸引器に接続した前記屈曲可能なカテーテルを着脱自在にできる事を特徴とする請求項１ないし３のいずれの１項に記載の唾液吸収具。
【手続補正２】
【補正対象書類名】明細書
【補正対象項目名】０００５
【補正方法】変更
【補正の内容】
【０００５】唾液吸収具は口の中の位置に固定するための口おおい部と、
前記口おおい部の一角に耳かけ式取付け部を備え、
前記口おおい部に口の中の唾液を吸収するための口の中に入れる唾液吸収材と、
前記口おおい部に設けられた口おおい部開口部と、
前記唾液吸収材に設けられた唾液吸収材開口部と、
前記唾液吸収材開口部から先端に向かった連続した先端が貫通しない凹み部であってカテーテルが着脱自在な凹み部を設け、
前記口おおい部の略中央に前記口おおい部開口部を設け、
前記口おおい部開口部と前記唾液吸収材開口部を合わせた事を特徴とするものである。